(57)【要約】【課題】  記録／再生装置で別途のＯＰＣを行わずとも、その基準信号を利用して迅速に最適の記録／再生条件を設定できる光記録媒体、記録／再生方法及び記録／再生装置を提供する。【解決手段】  リードイン領域と、データ領域と、リードアウト領域と、が設けられ、光記録媒体に対する最適の記録／再生動作のために決定された最適の記録条件で、所定の基準信号が記録される基準信号領域を含む光記録媒体である。【選択図】      図４
2005317194.tif 000002
【特許請求の範囲】
【請求項１】
光記録媒体において、
データ領域と、
前記光記録媒体の前記データ領域に対する最適の記録／再生動作のために決定された最適の記録条件で、所定の基準信号が記録される基準信号領域を含むことを特徴とする光記録媒体。
【請求項２】
前記基準信号領域に記録される基準信号は、所定の変調度条件を満足するように記録されることを特徴とする請求項１に記載の光記録媒体。
【請求項３】
前記基準信号領域に記録される基準信号は、所定のジッタ条件を満足するように記録されることを特徴とする請求項１に記載の光記録媒体。
【請求項４】
前記基準信号領域は、前記リードイン領域またはリードアウト領域のうち、少なくとも一つの記録可能な領域に設けられることを特徴とする請求項１に記載の光記録媒体。
【請求項５】
前記光記録媒体は、少なくとも一つ以上の記録層を含み、
前記各記録層ごとにその記録層での最適の記録／再生動作のために決定された最適の記録条件で、前記基準信号が記録される基準信号領域をそれぞれ含むことを特徴とする請求項１に記載の光記録媒体。
【請求項６】
前記基準信号は、前記光記録媒体が最初にローディングされた記録／再生装置で記録されることを特徴とする請求項１に記載の光記録媒体。
【請求項７】
記録方法において、
光記録媒体に対する最適の記録／再生動作のために決定された最適の記録条件で、所定の基準信号を前記光記録媒体の記録可能領域に記録する段階を含むことを特徴とする記録方法。
【請求項８】
前記記録段階は、
前記基準信号を所定の変調度条件を満足するように記録することを特徴とする請求項７に記載の記録方法。
【請求項９】
前記記録段階は、
前記基準信号を所定のジッタ条件を満足するように記録することを特徴とする請求項７に記載の記録方法。
【請求項１０】
前記記録段階で、
前記基準信号を前記光記録媒体に設けられたリードイン領域またはリードアウト領域のうち、少なくとも一つの記録可能な領域に記録することを特徴とする請求項７に記載の記録方法。
【請求項１１】
前記記録段階で、
少なくとも一つ以上の記録層を含む光記録媒体に対して、前記各記録層ごとにその記録層での最適の記録／再生動作のために決定された最適の記録条件で、前記基準信号を記録することを特徴とする請求項７に記載の記録方法。
【請求項１２】
前記基準信号は、前記光記録媒体が最初にローディングされた記録／再生装置によって記録されることを特徴とする請求項７に記載の記録方法。
【請求項１３】
記録／再生方法において、
光記録媒体に対する最適の記録／再生動作のために決定された最適の記録条件で、所定の基準信号が記録された前記光記録媒体の基準信号領域から前記基準信号を再生する段階と、
前記再生された基準信号を利用して、最適の記録／再生動作のための最適の記録／再生条件を決定する段階と、
前記決定された最適の記録／再生条件を利用して、前記光記録媒体に／からデータを記録／再生する段階と、を含むことを特徴とする記録／再生方法。
【請求項１４】
前記再生段階で、少なくとも一つ以上の記録層を有する光記録媒体の各記録層ごとにその記録層での基準信号領域から基準信号を再生し、
前記決定段階で、前記再生された基準信号を利用して、各記録層ごとに最適の記録／再生動作のための最適の記録／再生条件を決定し、
前記記録／再生段階で、前記記録層ごとに決定された最適の記録／再生条件を利用して、前記各記録層に／からデータを記録／再生する段階を含むことを特徴とする請求項１３に記載の記録／再生方法。
【請求項１５】
記録／再生方法において、
光記録媒体に対する最適の記録／再生動作のために決定された最適の記録条件で、所定の基準信号が記録される前記光記録媒体の基準信号領域を判別する段階と、
前記基準信号領域に基準信号が記録されていない場合には、前記光記録媒体に対する最適の記録／再生動作のための最適の記録条件で所定の基準信号を前記基準信号領域に記録する段階と、
前記基準信号領域に基準信号が記録されている場合には、前記基準信号領域から再生された基準信号を利用して、最適の記録／再生動作のための最適の記録／再生条件を決定し、前記決定された最適の記録／再生条件を利用して、前記光記録媒体に／からデータを記録／再生する段階とを含むことを特徴とする記録／再生方法。
【請求項１６】
記録装置において、
光記録媒体にデータを記録する記録部と、
前記光記録媒体に対する最適の記録／再生動作のために決定された最適の記録条件で、所定の基準信号を前記光記録媒体の記録可能領域に記録するように前記記録部を制御する制御部とを含むことを特徴とする記録装置。
【請求項１７】
前記制御部は、
前記基準信号が所定の変調度条件を満足に記録するように、前記記録部を制御することを特徴とする請求項１６に記載の記録装置。
【請求項１８】
前記制御部は、
前記基準信号が所定のジッタ条件を満足に記録するように、前記記録部を制御することを特徴とする請求項１６に記載の記録装置。
【請求項１９】
前記制御部は、
前記基準信号を前記光記録媒体に設けられたリードイン領域またはリードアウト領域のうち、少なくとも一つの記録可能な領域に記録するように、前記記録部を制御することを特徴とする請求項１６に記載の記録装置。
【請求項２０】
前記制御部は、
少なくとも一つ以上の記録層を含む光記録媒体に対して、前記各記録層ごとにその記録層での最適の記録／再生動作のために決定された最適の記録条件で、前記基準信号を記録するように、前記記録部を制御することを特徴とする請求項１６に記載の記録装置。
【請求項２１】
記録／再生装置において、
光記録媒体に／からデータを記録／再生する記録／再生部と、
前記光記録媒体に対する最適の記録／再生動作のために決定された最適の記録条件で、所定の基準信号が記録された前記光記録媒体の基準信号領域から前記基準信号を再生するように前記記録／再生部を制御し、前記再生された基準信号を利用して、最適の記録／再生動作のための最適の記録／再生条件を決定し、前記決定された最適の記録／再生条件を利用して、前記光記録媒体に／からデータを記録／再生するように、前記記録／再生部を制御する制御部とを含むことを特徴とする記録／再生装置。
【請求項２２】
前記制御部は、
少なくとも一つ以上の記録層を有する光記録媒体の各記録層ごとに、その記録層での基準信号領域から基準信号を再生するように前記記録／再生部を制御し、前記再生された基準信号を利用して、各記録層ごとに最適の記録／再生動作のための最適の記録／再生条件を決定し、前記記録層ごとに決定された最適の記録／再生条件を利用して、前記各記録層に／からデータを記録／再生するように、前記記録／再生部を制御することを特徴とする請求項２１に記載の記録／再生装置。
【請求項２３】
記録／再生装置において、
光記録媒体に／からデータを記録／再生する記録／再生部と、
前記光記録媒体に対する最適の記録／再生動作のために決定された最適の記録条件で所定の基準信号が記録される前記光記録媒体の基準信号領域を判別し、
前記基準信号領域に基準信号が記録されていない場合には、前記光記録媒体に対する最適の記録／再生動作のための最適の記録条件で、所定の基準信号を前記基準信号領域に記録するように前記記録／再生部を制御し、
前記基準信号領域に基準信号が記録されている場合には、前記基準信号領域から再生された基準信号を利用して、最適の記録／再生動作のための最適の記録／再生条件を決定し、前記決定された最適の記録／再生条件を利用して、前記光記録媒体に／からデータを記録／再生するように、前記記録／再生部を制御する制御部とを含むことを特徴とする記録／再生装置。
【請求項２４】
前記基準信号領域は、前記光記録媒体上にデータ領域の両側に配列されたリードイン領域またはリードアウト領域のうち、何れか一つに提供されることを特徴とする請求項１３に記載の方法。
【請求項２５】
前記基準信号は、所定の振幅変調条件及び／または所定のジッタ条件を満足させつつ、ランダムパターンまたは特有なパターンで、前記基準信号領域に記録されることを特徴とする請求項２４に記載の方法。
【請求項２６】
前記光記録媒体に関する前記最適の記録／再生条件は、１セットの記録／再生条件下で、前記光記録媒体のテスト領域にテストデータをテスト記録することによって得られることを特徴とする請求項１３に記載の方法。
【請求項２７】
前記基準信号領域は、前記光記録媒体上にデータ領域の両側に配列されたリードイン領域またはリードアウト領域のうち、何れか一つに提供されることを特徴とする請求項１５に記載の方法。
【請求項２８】
前記基準信号は、所定の振幅変調条件及び／または所定のジッタ条件を満足させつつ、ランダムパターンまたは特有なパターンで、前記基準信号領域に記録されることを特徴とする請求項２７に記載の方法。
【請求項２９】
前記基準信号領域に何の基準信号も記録されていない場合に、前記光記録媒体のための最適の記録／再生条件は、前記基準信号領域に前記基準信号が記録される前に１セットの記録／再生条件下で、前記光記録媒体上のテスト領域にテストデータをテスト記録することによって得られることを特徴とする請求項１５に記載の方法。
【請求項３０】
前記基準信号領域は、前記光記録媒体上にデータ領域の両側に配列されたリードイン領域またはリードアウト領域のうち、何れか一つに提供されることを特徴とする請求項２３に記載の装置。
【請求項３１】
前記基準信号は、所定の振幅変調条件及び／または所定のジッタ条件を満足させつつ、ランダムパターンまたは特有なパターンで、前記基準信号領域に記録されることを特徴とする請求項３０に記載の装置。
【請求項３２】
前記基準信号領域に何の基準信号も記録されていない場合に、前記制御器は、前記記録／再生部が、前記基準信号領域に前記基準信号が記録される前に、１セットの記録／再生条件下で、前記光記録媒体上のテスト領域にテストデータをテスト記録することによって、前記光記録媒体のための最適の記録／再生条件を得るように制御することを特徴とする請求項２３に記載の方法。
【請求項３３】
データ領域と基準信号領域とを有する保存媒体に／からデータを記録／再生するシステムにおいて、
前記保存媒体に設けられた前記基準信号領域に基準信号が記録されているか否かを決定するように配列されたディスクドライブを含み、
前記基準信号領域に前記基準信号が記録されている場合に、前記ディスクドライブは、基準信号に基づいて最適の記録／再生条件を決定し、前記決定された最適の記録／再生条件下で、前記保存媒体上の前記データ領域に／からデータを記録／再生することを特徴とするシステム。
【請求項３４】
基準信号が前記保存媒体上の基準信号領域に記録されていない場合に、前記ディスクドライブは、１セットの記録／再生条件下で、前記光記録媒体上のテスト領域にテストデータをテスト記録することによって最適の記録／再生条件を決定し、前記記録媒体上のデータ領域に／からデータを記録／再生する前に、前記決定された最適の記録／再生条件下で、前記光記録媒体の前記基準信号領域に基準信号を記録するようにさらに配列されることを特徴とする請求項３３に記載のシステム。
【請求項３５】
前記基準信号領域は、前記光記録媒体上にデータ領域の両側に配列されたリードイン領域またはリードアウト領域のうち、何れか一つに提供されることを特徴とする請求項３３に記載のシステム。
【請求項３６】
前記基準信号は、所定の振幅変調条件及び／または所定のジッタ条件を満足させつつ、ランダムパターンまたは特有なパターンで、前記基準信号領域に記録されることを特徴とする請求項３３に記載のシステム。
【発明の詳細な説明】
【技術分野】
【０００１】
本発明は、光記録媒体、光記録媒体にデータを記録／再生する記録／再生方法及び記録／再生装置に関する。
【背景技術】
【０００２】
一般的に、光ディスクは、非接触式で情報を記録／再生する光ピックアップ装置の情報記録媒体として広く採用され、情報記録容量によってコンパクトディスク（ＣＤ）、デジタル多機能ディスク（ＤＶＤ）に区分される。そして、記録、消去及び再生が可能な光ディスクとしては、６５０ＭＢ  ＣＤ−Ｒ、ＣＤ−ＲＷ、４.７ＧＢ  ＤＶＤ＋ＲＷがあり、再生専用としては、６５０ＭＢ  ＣＤ、４.７ＧＢ  ＤＶＤ−ＲＯＭがある。さらに、記録容量が１５ＧＢ以上であるＨＤ  ＤＶＤまたはＢＤ（ブルーレイディスク）も開発完了されており、それ以上のディスク、例えば、超解像再生技術を使用するスーパーレンズディスクまたはニアフィールドを利用したディスク及びホログラム原理を利用したディスクも開発が進められつつある。
【０００３】
このようなＣＤ系列の光ディスクとＤＶＤ系列の光ディスクとを記録／再生する光記録／再生装置は、情報記録層の物質的特性を変化させうる比較的大きいエネルギーの光ビームを照射して光ディスクに情報を記録すると共に、情報記録層の物質的特性を変化させない小さなエネルギーの光ビームを使用して光ディスクから情報を再生する。すなわち、記録時には、レーザダイオードを比較的高い記録パワーで駆動させて光ディスク上にピットを形成することによって情報を記録する。ディスクに整形された長さほどピットを形成することを記録ストラテジという。
【０００４】
光ディスクの記録／再生装置は、ＣＤ−Ｒ／ＲＷのように記録可能な光ディスクに情報を記録する場合、当該ディスクに適した記録パワーを決定するための最適パワー制御（ＯＰＣ）過程を行う。このために記録可能な光ディスクには、記録パワー決定のための領域であるＰＣＡ（パワーキャリブレーションエリア）をディスクのリードイン領域に備えている。
【０００５】
以下、従来の技術による光記録情報保存媒体の一般的な構造を簡略に紹介する。
【０００６】
図１は、従来の技術によってＯＴＰ（オポジットトラックパス）方式で記録される２層の記録層よりなる二重層情報保存媒体を示す。
【０００７】
情報保存媒体は、二つの記録層Ｌ０及びＬ１よりなる。Ｌ０は、リードイン領域１０及びデータ領域１１と、中間領域１２とよりなり、Ｌ１は、中間領域１３と、データ領域１４と、リードアウト領域１５と、よりなる。図１に示された情報保存媒体は、ＯＴＰ方式で記録し、Ｌ０を内周から外周に記録し、Ｌ１は、外周から内周に記録する方式を表す。
【０００８】
図２は、従来の技術によってＰＴＰ方式で記録される２層の記録層よりなる二重層情報保存媒体を示す。
【０００９】
情報保存媒体は、二つの記録層Ｌ０及びＬ１よりなる。Ｌ０は、リードイン領域１０及びデータ領域１１と、中間領域１２とよりなり、Ｌ１は、中間領域１３と、データ領域１４と、リードアウト領域１５と、よりなる。図２に示された情報保存媒体は、ＰＴＰ（パラレルトラックパス）方式で記録し、Ｌ０、Ｌ１いずれも同じ方向に記録する方式を表す。
【００１０】
図３は、従来の技術によって情報保存媒体のリードイン領域のデータ構造を示すディスク構造図である。情報保存媒体は、内周に位置したリードイン領域２０と、外周に位置したリードアウト領域４０と、リードイン領域及びリードアウト領域間に位置してユーザデータが記録されるデータ領域３０とを含む。
【００１１】
リードイン領域２０は、情報が変更できない方式で、情報があらかじめ記録された領域２１と記録された情報の修正が可能な記録可能領域３１とよりなる。
【００１２】
あらかじめ記録された領域２１は、再生専用として利用され、ディスクと関連した情報を含んでいる制御データ領域２２であり、ディスク種類及びバージョン情報２３、ディスクサイズ２４、ディスク構造２５、記録速度２６、記録パラメータ２７が記録される。
【００１３】
記録可能領域３１は、バッファ３２と、欠陥管理領域３３と、テスト領域３４と、ドライブ／ディスク状態情報領域３５とを含む。バッファ３２は、あらかじめ記録された領域２１と記録可能領域３１との間の余裕をおくために設けられた領域である。
【００１４】
欠陥管理領域３３は、データ領域に発生した欠陥を管理するために欠陥管理情報が記録される領域である。
【００１５】
テスト領域３４は、最適の記録パワーを探すためにテスト記録が行われる領域である。テスト領域は、ＰＣＡと呼ばれる。
【００１６】
ドライブ／ディスク状態情報領域３５は、ドライブやディスクの状態情報が記録される領域である。
【００１７】
前述したようなＰＣＡは、最適の記録条件、すなわち、最適のパワーレベルを探すために備えられた領域であって、記録／再生装置が最適の記録／再生条件を決定するためには、記録／再生条件を変えつつ特性を測定せねばならないため、長時間がかかる。すなわち、最適の記録条件は、記録媒体及び記録／再生装置の特性によって大きく左右される。同様に、記録／再生中に多様なサーボ作動を決定する焦点位置、トラッキング位置、利得などの最適のサーボ条件と、等化特性及び２進化スライスレベルのような最適の再生信号処理条件も、媒体及び記録／再生装置の特性によって大きく左右される。
【００１８】
したがって、内部に装着された光記録媒体に記録するために、記録／再生装置が活性化される度に、パルス条件、サーボ条件のような再生処理信号条件などの記録／再生条件を変更させつつテスト記録が行われる。このとき、再生された信号の品質は、最適の記録／再生条件を決定するために所定基準と比較され、最適の記録／再生条件に基づいて情報の記録が行われる。このとき、最適の記録／再生条件を決定する動作がディスクへの記録／再生動作前に常に必要となるため、待機時間が長くなるという問題点がある。また、複数の保存層がある場合には、各層に備えられたテスト領域で各層の全ての最適の記録条件を探さなければならないため、時間は、保存層の数ほど倍にかかる。したがって、ユーザの立場では、実際ユーザデータを記録するために相当な時間を待機せねばならないという短所が発生する。
【００１９】
また、記録せずに再生のみを行う場合、例えば、１回記録媒体がファイナライズされるか、または記録防止された場合にも、最適の再生のためにＥＱ（Ｅｑｕａｌｉｚａｔｉｏｎ）の周波数やゲインを調節するか、または最適のフォーカシングを調節する必要がある。したがって、このような場合にも、最適の再生条件を探さなければならない。
【発明の開示】
【発明が解決しようとする課題】
【００２０】
本発明は、前記問題点を解決して、ユーザデータを記録する前の待機時間を最小化するために、最適の記録／再生条件を迅速に決定できるようにするための光記録媒体、記録／再生方法及び記録／再生装置に関する。
【課題を解決するための手段】
【００２１】
前記目的を達成するための本発明の一つの特徴は、光記録媒体において、リードイン領域と、データ領域と、リードアウト領域と、が設けられ、前記光記録媒体に対する最適の記録／再生動作のために決定された最適の記録条件で所定の基準信号が記録される基準信号領域を含むことである。
【００２２】
前記基準信号領域に記録される基準信号は、所定の変調度条件を満足するように記録されることが望ましい。前記基準信号領域に記録される基準信号は、所定のジッタ条件を満足するように記録されることが望ましい。
【００２３】
前記基準信号領域は、前記リードイン領域またはリードアウト領域のうち、少なくとも一つの記録可能な領域に設けられることが望ましい。
【００２４】
前記光記録媒体は、少なくとも一つ以上の記録層を含み、前記各記録層ごとにその記録層での最適の記録／再生動作のために決定された最適の記録条件で、前記基準信号が記録される基準信号領域をそれぞれ含むことが望ましい。
【００２５】
前記基準信号は、前記光記録媒体が最初ローディングされた記録／再生装置で記録されることが望ましい。
【００２６】
本発明の他の特徴は、記録方法において、前記光記録媒体に対する最適の記録／再生動作のために決定された最適の記録条件で、所定の基準信号を前記光記録媒体の記録可能領域に記録する段階を含むことである。
【００２７】
本発明のさらに他の特徴は、記録／再生方法において、前記光記録媒体に対する最適の記録／再生動作のために決定された最適の記録条件で、所定の基準信号が記録された前記光記録媒体の基準信号領域から前記基準信号を再生する段階と、前記再生された基準信号を利用して、最適の記録／再生動作のための最適の記録／再生条件を決定する段階と、前記決定された最適の記録／再生条件を利用して、前記光記録媒体に／からデータを記録／再生する段階とを含むことである。
【００２８】
前記再生段階は、少なくとも一つ以上の記録層を有する光記録媒体の各記録層ごとにその記録層での基準信号領域から基準信号を再生し、前記決定段階は、前記再生された基準信号を利用して、各記録層ごとに最適の記録／再生動作のための最適の記録／再生条件を決定し、前記記録／再生段階は、前記記録層ごとに決定された最適の記録／再生条件を利用して、前記各記録層に／からデータを記録／再生することが望ましい。
【００２９】
本発明のさらに他の特徴は、記録／再生方法において、前記光記録媒体に対する最適の記録／再生動作のために決定された最適の記録条件で、所定の基準信号が記録される前記光記録媒体の基準信号領域を判別する段階と、前記基準信号領域に基準信号が記録されていない場合には、前記光記録媒体に対する最適の記録／再生動作のための最適の記録条件で所定の基準信号を前記基準信号領域に記録する段階と、前記基準信号領域に基準信号が記録されている場合には、前記基準信号領域から再生された基準信号を利用して、最適の記録／再生動作のための最適の記録／再生条件を決定し、前記決定された最適の記録／再生条件を利用して、前記光記録媒体に／からデータを記録／再生する段階とを含むことである。
【００３０】
本発明のさらに他の特徴は、記録装置において、光記録媒体にデータを記録する記録部と、前記光記録媒体に対する最適の記録／再生動作のために決定された最適の記録条件で、所定の基準信号を前記光記録媒体の記録可能領域に記録するように、前記記録部を制御する制御部とを含むことである。
【００３１】
本発明のさらに他の特徴は、記録／再生装置において、光記録媒体に／からデータを記録／再生する記録／再生部と、前記光記録媒体に対する最適の記録／再生動作のために決定された最適の記録条件で、所定の基準信号が記録された前記光記録媒体の基準信号領域から前記基準信号を再生するように前記記録／再生部を制御し、前記再生された基準信号を利用して、最適の記録／再生動作のための最適の記録／再生条件を決定し、前記決定された最適の記録／再生条件を利用して、前記光記録媒体に／からデータを記録／再生するように前記記録／再生部を制御する制御部とを含むことである。
【００３２】
前記制御部は、少なくとも一つ以上の記録層を有する光記録媒体の各記録層ごとに、その記録層での基準信号領域から基準信号を再生するように、前記記録／再生部を制御し、前記再生された基準信号を利用して、各記録層ごとに最適の記録／再生動作のための最適の記録／再生条件を決定し、前記記録層ごとに決定された最適の記録／再生条件を利用して、前記各記録層に／からデータを記録／再生するように前記記録／再生部を制御することが望ましい。
【００３３】
本発明のさらに他の特徴は、記録／再生装置において、光記録媒体に／からデータを記録／再生する記録／再生部と、前記光記録媒体に対する最適の記録／再生動作のために決定された最適の記録条件で所定の基準信号が記録される前記光記録媒体の基準信号領域を判別し、前記基準信号領域に基準信号が記録されていない場合には、前記光記録媒体に対する最適の記録／再生動作のための最適の記録条件で、所定の基準信号を前記基準信号領域に記録するように前記記録／再生部を制御し、前記基準信号領域に基準信号が記録されている場合には、前記基準信号領域から再生された基準信号を利用して、最適の記録／再生動作のための最適の記録／再生条件を決定し、前記決定された最適の記録／再生条件を利用して、前記光記録媒体に／からデータを記録／再生するように、前記記録／再生部を制御する制御部とを含むことである。
【発明の効果】
【００３４】
本発明によれば、光情報保存媒体のリードイン領域またはリードアウト領域のうち、少なくとも一つの特定位置に基準となる信号を記録することによって、このように記録されたディスクが他のディスクドライブに入っても、別途のＯＰＣを行わずとも、その基準信号を利用して、迅速に最適の記録／再生条件を設定できる。
【００３５】
また、再生のみを行う場合にも、ディスクに記録された基準信号を利用して、ＥＱゲイン及び周波数調整や、最適のフォーカシング調整を行える。
【発明を実施するための最良の形態】
【００３６】
以下では、前記目的を達成するための本発明の望ましい実施例を添付された図面を参照して詳細に説明する。
【００３７】
図４は、本発明によって情報保存媒体の最適の記録／再生条件を決定する方法を説明するための参考図である。光記録媒体は、光ディスク５０となり、プロセスは、光ディスク５０へのデータの最適の記録／再生のための最適の記録／再生条件を決定するために、第１及び第２ディスクドライブ４１，４２のような複数の記録／再生装置を要求することもある。例えば、第１ディスクドライブ４１は、光ディスク５０が一度も使われたことのないディスクであれば、光ディスク５０のための最適の記録条件を決定し、最適の記録条件下で、光ディスク５０に基準データを記録するのに利用されうる。第２ディスクドライブ４２は、光ディスク５０に既に記録された基準データに基づいて最適の記録／再生条件を決定するのに利用されうる。
【００３８】
本発明による光ディスク５０は、リードイン領域にテスト領域５８と基準信号領域５６とを含む。テスト領域５８は、ディスクドライブがローディングされる光ディスクに最適にデータを記録または再生できる最適の記録／再生条件を得るようにするテストのための領域であり、基準信号領域５６は、このように得られた最適の記録条件によって所定の基準データが記録されるための領域である。
【００３９】
最初に使われる光ディスクが最初ローディングディスクドライブ４１にローディングされれば、ディスクドライブは、ローディングされた光ディスク５０のテスト領域５８にデータを記録して記録条件をテストし、最適の記録／再生条件を決定する。そして、決定された最適の記録条件で光ディスク５０に設けられた基準信号領域５６に基準データを記録する。
【００４０】
このように、基準信号領域５６に最適の記録条件で記録された基準信号が入っている光ディスク５０が、他のディスクドライブ４２にローディングされれば、他のディスクドライブ４２は、基準信号領域５６に記録された基準信号を再生して最適の記録／再生条件を決定し、決定された最適の記録／再生条件で光ディスク５０に／からデータを記録／再生する。
【００４１】
このように、光ディスクが最初ローディングされるディスクドライブでのみＯＰＣの過程を行って、最適の記録／再生条件を探して光ディスクの基準信号領域にその最適の記録／再生条件で基準信号を記録すれば、２回目以後のディスクドライブでは、最適の記録／再生条件を決定するために再びテスト領域に／からデータを記録／再生してテストする必要なく、ただ基準信号領域に最適の条件で記録された基準信号を再生することによって、最適の記録／再生条件を決定するので、２回目以後のディスクドライブでは、最適の記録／再生条件を決定するために必要な時間を節約できる。
【００４２】
図５は、本発明による単一記録層情報保存媒体の一例を示す。本発明による情報保存媒体５０は、リードイン領域５１と、データ領域５２と、リードアウト領域５３とを含む。
【００４３】
リードイン領域５１の記録可能領域５４は、バッファ５５と、基準信号領域５６と、欠陥管理領域５７と、テスト領域５８と、ドライブ／ディスク状態情報領域５９とを含む。
【００４４】
図３に示された従来の技術によるディスク構造と類似しており、但し、本発明による情報保存媒体は、記録／再生条件テストによって決定された最適の記録条件で、基準信号が記録される基準信号領域５６がリードイン領域の記録可能領域５４に設けられているという点が異なる。このような基準信号領域５６は、リードアウト領域に設けられることもある。
【００４５】
基準信号領域５６に記録される基準信号は、等化条件の設定、サーボ条件の設定、２進化条件の設定、パルス条件の設定に有用な信号である。
【００４６】
また、このような基準信号は、ディスクがドライブに最初に挿入後に記録されることが最も望ましく、記録された信号が有用に使われるためには、一定の条件を満足することがさらに望ましい。その一例を次のように挙げられる。
【００４７】
【表１】
2005317194.tif 000003
すなわち、前述した３つのうち何れか一つの条件で記録すれば良い。また、（２）または（３）の信号特性を満足するように、（１）の最適の記録条件を決定することもある。
【００４８】
特に、前記条件で、変調度条件とジッタ条件とを０.３と７％とにしたが、このような特性は、各保存媒体に該当する規格に定められた規格値を満足せねばならない。
【００４９】
また、基準信号領域に記録される基準信号の記録パターンについては、ランダムパターンが望ましい。しかし、変調度測定などの特殊な目的で記録する場合には、ランダムパターンでない特殊なパターンを記録することもある。例えば、ＲＬＬ（１−７）変調である場合、基準信号は、基準信号領域５６にただ２Ｔ及び８Ｔのみを利用して記録できる。ここで、“Ｔ”は、基準クロックのサイクルを表す。ＲＬＬ（１,７）変調で、“非対称測定”のような特定の目的のために、基準信号は、基準信号領域５６に２Ｔ及び８Ｔを利用して記録されうる。２Ｔ及び８Ｔを利用して媒体に記録された基準信号は再生され、２Ｔ及び８Ｔより構成されたアイパターンに基づいて、８ＴのＩパターンの中心から２Ｔのアイパターンの中心がどのくらい離れているかを表す程度から非対称は測定されうる。
【００５０】
図６は、本発明による二重記録層情報保存媒体の一例を示す。
【００５１】
情報保存媒体が複数の記録層を有する場合には、各記録層ごとに最適の記録／再生条件が異なる。したがって、本発明による二重記録層情報保存媒体は、各記録層ごとに最適の記録条件で基準信号が記録される基準信号領域を備える。二重記録層情報保存媒体は、二つの記録層Ｌ０及びＬ１を備え、Ｌ０は、リードイン領域６０、データ領域６１、中間領域６２よりなり、Ｌ１は、中間領域６５、データ領域６６、リードアウト領域６７よりなる。このように、二つの記録層よりなる情報保存媒体が最初に記録／再生装置にローディングされれば、最初の記録／再生装置は、Ｌ０のリードイン領域６０に設けられたテスト領域＃０  ６３で記録／再生テストを行って最適の記録／再生条件を決定し、決定された最適の記録条件で、所定の基準信号を基準信号領域＃０  ６４に記録する。また、最初の記録／再生装置は、Ｌ１のリードアウト領域６７に設けられたテスト領域＃１  ６３で、記録／再生テストを行って最適の記録／再生条件を決定し、決定された最適の記録条件で所定の基準信号を基準信号領域＃１  ６４に記録する。
【００５２】
このように各記録層ごとに基準信号領域にその記録層に適する基準信号が最適の記録条件で記録された情報保存媒体が他の記録／再生装置にローディングされれば、他の記録／再生装置は、各記録層ごとにその記録層に設けられた基準信号領域から基準信号を再生し、各記録層に適する最適の記録／再生条件を決定する。
【００５３】
図７は、本発明による記録／再生装置の構成を示す概略的なブロック図である。記録／再生装置は、スピンドルモータ７０と、光ヘッド７１と、レーザ駆動部７２と、サーボ制御部７３と、増幅部７４と、等化器７５と、２進化回路７６と、データ復調部７７と、データ変調部７８と、パルス制御部７９と、制御部５とを含み、記録／再生条件を設定するための部分として、サーボ条件設定部１と、等化条件設定部２と、２進化条件設定部３と、パルス条件設定部４とを含む。
【００５４】
スピンドルモータ７０は、記録／再生装置に装着された光ディスク５０を回転させる。制御部５は、記録／再生装置全体を制御する。データ変調部７８は、記録されるデータを記録信号に変換させる。パルス制御部７９は、パルス条件によってレーザパルスを制御する。レーザ駆動部７２は、パルス制御部７９からの信号によってレーザダイオードを駆動させる。レーザダイオードを含む光ヘッド７１は、光ディスク５０に情報を記録するか、または光ディスク５０から反射された光から再生信号を発生させるために、光ディスク５０にレーザビームをフォーカシングする。
【００５５】
サーボ制御部７３は、増幅部７４から出力された信号に基づいてサーボ条件によって光ヘッド７１のフォーカシング及びトラッキングを制御する。増幅部７４は、光ヘッド７１から出力された再生信号を増幅させる。等化器７５は、増幅部７４から出力された再生信号の周波数特性を修正する。２進化回路７６は、等化器７５によって修正された信号を２進信号に変換する。データ復調部７７は、２進化回路７６から出力されたデータを復調する。
【００５６】
サーボ条件設定部１は、サーボ制御部７３にサーボ条件を設定する。等化条件設定部２は、等化器７５に等化条件を設定する。２進化条件設定部３は、２進化回路７６に２進化スライスレベルを設定する。パルス条件設定部４は、情報が記録される時のパルス条件を設定する。
【００５７】
図８は、本発明による記録／再生方法の過程を示すフローチャートである。まずドライブにディスクがローディングされる（８１）。
【００５８】
光ディスク５０がドライブに装着されれば、スピンドルモータ７０によって回転される。次いで、情報を再生するためのレーザビームが光ヘッド７１によって光ディスク５０上に放射される。ディスク５０内のリードイン領域をアクセスすることによって、リードイン領域に記録されたディスクの識別情報が判読される。識別情報を判読するために、ディスク５０から反射された光ビームから光ヘッド７１によって獲得された再生信号が増幅部７４によって増幅され、所定の等化条件が設定された等化器７５によって、信号の周波数特性が修正される。次いで、信号は、所定の２進化スライスレベルに設定された２進化回路７６によって２進化される。このように２進化された信号は、データ復調部７７によって復調された後に制御部５に送られる。サーボ制御部７３は、設定された所定のサーボ条件によって、増幅部７４から出力された信号に基づいて、光ヘッド７１のフォーカシング及びトラッキングを制御する。このような動作によって、光ディスク５０のリードイン領域に記録されたディスク識別情報が制御部５に伝送される。
【００５９】
次いで、ディスクに設けられた基準信号領域が判読される（８２）。基準信号領域は、本発明によって最適の記録条件で記録された基準信号を含んでいる領域である。このような基準信号領域は、図５に示されたように、単一記録層光記録媒体５０のリードイン領域５１の記録可能領域５４に提供されることもあり、または、選択的に、図６に示されたように、二重記録層光記録媒体５０のリードイン領域６０またはリードアウト領域６７に提供されうる。また、このような基準信号領域は、一つ以上の記録層を有する光記録媒体の各記録層上の中間領域に設けられることもある。リードイン領域がアクセスされて識別情報が判読されるのと同じ動作によって、基準信号領域がアクセスされて基準信号が判読される。
【００６０】
ディスク内の基準信号領域がアクセスされ、サーボ制御部７３のあらかじめ設定されたサーボ条件によって、光ヘッドによってフォーカシングまたはトラッキングが制御される。ディスクから反射されたレーザビームから光ヘッド７１によって獲得された再生信号は、増幅部７４によって増幅され、周波数特性は、あらかじめ等化条件が設定された等化器７５によって修正される。次いで、再生信号は、２進化スライスレベルがあらかじめ設定された２進化回路７６によって２進化される。このように２進化された信号は、復調されて制御部５に供給される。
【００６１】
次いで、基準信号が記録されているか否かを判断する（８３）。
【００６２】
すなわち、制御部５は、供給された２進化された信号から基準信号が記録されているか否かを判断する。
【００６３】
基準信号が記録されていない場合には、ディスクに設けられたテスト領域に記録条件をテストして最適の記録／再生条件を決定する（８４）。
【００６４】
まず、あらかじめ設定された条件やディスク内の識別情報によって指定された条件によって、パルス条件設定部４は、パルス制御部７９にパルス条件を設定し、サーボ条件設定部１は、サーボ制御部７３にサーボ条件を設定し、等化条件設定部２は、等化器７５に等化条件を設定し、２進化条件設定部３は、２進化回路７６に２進化スライスレベルを設定する。
【００６５】
次いで、制御部５から出力された所定の記録テストのためのテストデータは、変調部７８によって記録信号に変換される。基準信号領域と同様に、テスト領域は、図５に示されたように、単一記録層光記録媒体５０のリードイン領域５１の同じ記録可能領域５４に提供されることもあり、選択的に、図６に示されたように、二重記録層光記録媒体５０のリードイン領域６０またはリードアウト領域６７に提供されることもある。次いで、変換された記録信号は、パルス制御部７９によって設定されたパルス条件を満足させるレーザ駆動信号に変換される。レーザ駆動部７２は、光ヘッド７１のレーザダイオードをレーザ駆動信号によって駆動させる。サーボ制御部７３によってフォーカシング及びトラッキングが制御される光ヘッド７１は、レーザダイオードから放射された光をフォーカシングして、光ディスク５０のテスト領域にマークを形成させて情報を記録する。
【００６６】
このような方法でディスクにテストとして記録されたデータの再生信号は、増幅部７４によって増幅された後に、等化器７５によって周波数特性が補正される。そして、２進化回路７６によって２進化された信号のジッタ値（基準クロックに関する再生信号の位置変動）は、制御部５によって測定され、この値は、あらかじめ設定された標準値と比較される。ジッタ値が標準値を満足させれば、最適の条件に決定され、一方、ジッタ値が標準値を満足させなければ、パルス条件、サーボ条件、等化条件、２進化スライスレベルが連続的に変更され、テストデータがテストとして記録され、記録されたデータのジッタ値が測定される。このような過程は、ジッタ値が標準値を満足させるまで反復されて、最適の記録／再生条件が決定される。
【００６７】
次いで、決定された最適の記録条件で基準信号を基準信号領域に記録する（８５）。
【００６８】
このように決定された最適の記録条件に条件設定部が設定される。すなわち、パルス条件設定部４は、最適の記録条件によるパルス条件をパルス制御部７９に設定し、サーボ条件設定部１は、最適の記録条件によるサーボ条件をサーボ制御部７３に設定し、等化条件設定部２は、最適の記録条件による等化条件を等化器７５に設定し、２進化条件設定部３は、最適の記録条件による２進化スライスレベルを２進化回路７６に設定する。
【００６９】
制御部５から出力された基準データは、変調部７８によって記録信号に変換され、記録信号は、パルス制御部７９によって設定されたパルス条件を満足させるレーザ駆動信号に変換される。基準データの記録パターンは、ランダムパターンが望ましく、特殊な目的、例えば、変調度測定による目的で記録する場合には、ランダムパターンでない特殊なパターンを記録することもある。例えば、ＲＬＬ（１−７）変調である場合には、２Ｔ及び８Ｔのみを記録することもある。
【００７０】
レーザ駆動部７２は、光ヘッド７１に提供されたレーザダイオードをレーザ駆動信号によって駆動させて、光ディスク５０の基準信号領域にマークを形成して基準信号を記録する。
【００７１】
次いで、決定された最適の記録条件でユーザデータを記録／再生する（８６）。
【００７２】
前記基準信号領域に基準信号を記録する方法と同様に、決定された最適の記録条件でユーザデータを光ディスクのデータ領域に記録し、最適の再生条件で記録されたデータを再生する。
【００７３】
段階８３で、基準信号領域に基準信号が記録されている場合には、その基準信号を再生して、最適の記録／再生条件を決定する（８７）。
【００７４】
最適の記録／再生条件を探すための基準信号は、既に記録されているので、基準信号領域に記録された基準信号を再生して、最適の記録／再生条件を決定すれば良い。
【００７５】
次いで、決定された最適の記録条件でユーザデータをディスクのデータ領域に記録／再生する（８６）。
【００７６】
以上、本発明について、その望ましい実施例を中心に説明した。当業者は、本発明が本発明の本質的な特性から逸脱しない範囲で変形された形態に具現されうるということが分かる。したがって、開示された実施例は、限定的な観点ではなく、説明的な観点で考慮されねばならない。本発明の範囲は、前述した説明ではなく、特許請求の範囲に表れており、それと同等な範囲内の全ての差異点は、本発明に含まれたものであると解釈されねばならない。
【産業上の利用可能性】
【００７７】
本発明は、光記録に関連した技術分野に利用可能である。
【図面の簡単な説明】
【００７８】
【図１】従来の技術によって、ＯＴＰ方式で記録される２層の記録層よりなる二重層情報保存媒体を示す図である。
【図２】従来の技術によって、ＰＴＰ方式で記録される２層の記録層よりなる二重層情報保存媒体を示す図である。
【図３】従来の技術によって、情報保存媒体のリードイン領域のデータ構造を示すディスク構造図である。
【図４】本発明によって、情報保存媒体の最適の記録／再生条件を決定する方法を説明するための参考図である。
【図５】本発明による単一記録層情報保存媒体の一例を示す図である。
【図６】本発明による二重記録層情報保存媒体の一例を示す図である。
【図７】本発明による記録／再生装置の構成を示す概略的なブロック図である。
【図８】本発明による記録／再生方法の過程を示すフローチャートである。
【符号の説明】
【００７９】
４１  最初ローディングディスクドライブ
４２  他のディスクドライブ
５０  光ディスク
５６  基準信号領域
５８  テスト領域
【図１】
2005317194.tif 000004
【図２】
2005317194.tif 000005
【図３】
2005317194.tif 000006
【図４】
2005317194.tif 000007
【図５】
2005317194.tif 000008
【図６】
2005317194.tif 000009
【図７】
2005317194.tif 000010
【図８】
2005317194.tif 000011